(57)【要約】画像を表示するための起電表示パネル（１）は、第一と第二対向基板（８、９）、上記基板（８、９）間の起電媒体（５）、複数の画素（２）、各画素（２）と関連している第一及び第二電極（３、４）、駆動手段（１００）、及び温度探測機（１１）を有する。上記起電媒体（５）は、流体中に荷電粒子（６）を有する。上記第一及び第二電極（３、４）は、継続時間とレベルとを有する電位差を受信することができる。上記駆動手段（１００）は、上記画像を表示するために上記電位差を制御することができ、また、上記温度探測機（１１）は、媒体温度を示す温度を測定することができる。上記表示パネル（１）が比較的少ないエネルギーを必要としながら環境温度と無関係に実質的に再現可能な外観の画素（２）を確保するのに、上記駆動手段（１００）は、上記温度探測機（１１）から上記測定温度を受信すること及び上記測定温度に従って上記電位差を制御することができる。
2005527001.tif 000002
【特許請求の範囲】
【請求項１】
画像を表示するための起電表示パネルであって：
第一と第二対向基板；
前記基板間の起電媒体であって、流体中に荷電粒子を有する前記起電媒体；
複数の画素；
継続時間とレベルとを有する電位差を受信するために各画素と関連している第一及び第二電極；
前記画像を表示するために前記電位差を制御することができる駆動手段；及び
媒体温度を示す温度を測定することができる温度探測機；
を有し、
前記駆動手段は、更に、前記温度探測機から前記測定温度を受信すること及び前記測定温度に従って前記電位差を制御することができる、ところの起電表示パネル。
【請求項２】
請求項１記載の表示パネルであって、前記駆動手段は、前記測定温度に従って前記継続時間を制御することができる、ところの表示パネル。
【請求項３】
請求項２記載の表示パネルであって、前記駆動手段は、いくらかの数の均等な期間の間隔を有するように各継続期間を制御することができ、前記数は、表示される前記画像と前記測定温度とによって決められ、また、前記期間は、一定である、ところの表示パネル。
【請求項４】
請求項２記載の表示パネルであって、前記駆動手段は、いくらかの数の均等な期間の間隔を有するように各継続期間を制御することができ、前記数は、表示される前記画像と前記測定温度によって決められる前記期間とによって決められる、ところの表示パネル。
【請求項５】
請求項１記載の表示パネルであって、前記駆動手段は、前記測定温度に従って前記レベルを制御することができる、ところの表示パネル。
【請求項６】
前記請求項のいずれか記載の表示パネルであって、前記第一基板は、前記第一電極を有し、前記第二基板は、前記第二電極を有する、ところの表示パネル。
【発明の詳細な説明】
【発明の詳細な説明】
【０００１】
本発明は画像を表示するための起電表示パネルに関するものである。
【０００２】
冒頭段落に記載されている方式の起電表示パネルの一実施例は、非予備公開の欧州特許出願02078456.7（PHNL020754）に記載されている。
【０００３】
上記起電表示パネルにおいて、画像が表示されている間は、複数の画素における各画素の外観は電極間における電荷粒子の位置によって決められる。この粒子の位置は電位差によるものであり、この電位差の結果として、粒子が流体内で移動する。また、流体内における粒子の移動は、流体の粘度にもよる。流体の粘度は媒体の温度によって決められることから、粒子の位置は電位差のみならず、媒体の温度にもよる。表示パネルは、加熱手段を有し、これにより、環境温度を上回る所定の実質的に一定の媒体温度を有することが可能になる。この結果、表示パネルは、所定の媒体温度で実質的に再現可能な外観の画素を確保することが可能になる。加熱手段は、媒体を所定の媒体温度に加熱し、比較的多くの電力を消費する場合もあり、例えば、所定の媒体温度が環境温度よりもかなり高い場合などである。比較的短い間隔で画素の外観を変えることを可能にするために、所定の媒体温度は、比較的高めに選択されている。
【０００４】
上述の表示パネルの欠点は、それをもって環境温度と無関係に実質的に再現可能な外観の画素を得るには比較的高いエネルギーが必要になることである。
【０００５】
本発明の目的は、冒頭段落に記載されている方式の起電表示パネルであって、比較的少ないエネルギーを必要としながら環境温度と無関係に実質的に再現可能な外観の画素を確保することができるものを提供することである。
【０００６】
この目的を達成するために、本発明によるところの表示パネルは、請求項１に特定されている。
【０００７】
本発明は、媒体温度の画素の外観に対する作用が電位差によって相殺されれば、画素の外観は実質的に再現可能になる、という洞察に基づくものである。この作用は、媒体温度を規制する加熱手段を要することなく、電位差によって相殺される。この相殺を行うのに、比較的消費電力の低い電気回路を使用することができるので、比較的低いエネルギーを必要としながら環境温度と無関係に画素の外観が実質的に再現可能である。駆動手段が温度探測機からの媒体温度を示す測定温度を受信すること及びその測定温度に従って電位差を制御することができるため、表示パネルは、比較的低いエネルギーを必要としながら環境温度と無関係に実質的に再現可能な画素を確保することができる。これに対して、非予備公開の欧州特許出願02078456.7（PHNL020754）に記載されている表示パネルは、所定の媒体温度が環境温度よりもかなり高いレベルで維持されている場合には、比較的高い消費電力の加熱手段に起因して、実質的に再現可能な画素を確保するには比較的高いエネルギーを必要とする。更に、かかる先行技術の表示パネルは、所定の媒体温度より高い環境温度では実質的に再現可能な外観を確保し得ないのである。なぜなら、加熱手段はその媒体を所定の媒体温度に冷却することができないからである。
【０００８】
一実施例では、駆動手段は、測定温度に従って継続時間を制御することができる。継続時間は、媒体が二つの外観間で比較的早く変化することができる場合には比較的短いものになり、媒体が二つの外観間で比較的遅くしか変化することができない場合には比較的長いものになる。例えば、媒体は、２０℃の下の方よりも６０℃の下の方が二つの外観間でより早く変化することができるので、高い方の温度での継続時間は、低い方の温度での継続時間よりも短いものになる。
【０００９】
先行する実施例の変形例では、駆動手段は、いくらかの数の均等な期間の間隔を有するように各継続期間を制御することができ、その数は、表示される画像と測定温度とによって決められ、また、その期間は、一定である。これにより、測定温度が変化した場合には、その間隔の数だけが異なる値となる。
【００１０】
先行する実施例の更なる変形例では、駆動手段は、いくらかの数の均等な期間の間隔を有するように各継続期間を制御することができ、その数は、表示される画像と測定温度によって決められる期間とによって決められる。これにより、測定温度が変化した場合には、その期間だけが異なる値となる。
【００１１】
他の実施例では、駆動手段は、測定温度に従ってレベルを制御することができる。レベルは、媒体が二つの外観間で比較的早く変化することができる場合には比較的低いものになり、媒体が二つの外観間で比較的遅くしか変化することができない場合には比較的高いものになる。例えば、媒体は、２０℃の下の方よりも６０℃の下の方が二つの外観間でより早く変化することができるので、高い方の温度でのレベルは、低い方の温度でのレベルよりも短いものになる。
【００１２】
第一基板が、第一電極を有し、第二基板が、第二電極を有するようにすることで、基板の一方が第一及び第二の電極を有している表示パネルに比べて、画素の外観を比較的容易に変化させることができる。
【００１３】
本発明の前記並びに他の側面は、図面を参照しつつ、以下において、より明確に説明することとする。図面の全てにおいて、対応する部分は、同一の参照符号をもって説明する。
【００１４】
図１及び図２は、複数の画素２及び第二基板９を有する表示パネルの第一実施例を示している。画素２は、二次元構造における実質的な直線に沿って配列されている。例えば、ハネカム配列などの他の画素２の配列も可能である。表示パネル１は第一基板８及び第二対向基板９を有している。起電媒体５は基板８と基板９との間に介在している。起電媒体５は、例えば、白色流体の中に負に帯電した黒色粒子を有する。起電媒体は、本質的には、例えば、US  5,961,804及びUS  6,120,839などによって知られており、例えば、イー・インク・コーポレーション（E  Ink  Corporation）などから入手することができる。第一電極３及び第二電極４は、各画素と関連している。これら電極３、４は、電位差を受けることができる。図２において、第一基板８は、各画素２につき、第一電極３を有し、第二基板９は、各画素２につき、第二電極４を有している。１５ボルトのレベルを有する電位差により、帯電した粒子６が第一電極３の近くに配置されると、画素２は、第一外観、即ち、白色を有することになる。−１５ボルトのレベルを有する逆極性の電位差により、帯電した粒子６が第二電極４の近くに配置されると、画素２は、第二外観、即ち、黒色を有することになる。第一基板８の媒体に面している面などに存在する温度探測機１１は、媒体温度を示す温度を測定することができる。また、駆動手段は、画像を表示するための電位差を制御すること、温度探測機１１から測定温度を受信すること、及び測定温度に従って電位差を制御することができる。
【００１５】
図３は、第一実施例における測定温度と電位差の継続時間との間の関係を示している。電位差のレベルは、１５ボルトである。電極３と電極４との間の距離は、約８０マイクロメートルである。起電媒体５の層の厚さは、約５０マイクロメートルである。更に、約３０マイクロメートルの厚さを有するポリマー結合材料の層は、電極３と電極４との間に介在している。線aは、黒色から白色への画素の外観の変化に関するものであり、遷移B-Wを表し、線bは、ダークグレイ色からライトグレイ色への画素の外観の変化に関するものであり、遷移DG-LGを表す。測定温度の上昇に伴って継続時間が減少する。第一実施例では、駆動手段１００は、図３によるところ、測定温度に従って電位差の継続時間を制御することができる。よって、媒体温度の画素の外観に対する作用が電位差によって相殺され、起電表示パネル１は、比較的少ないエネルギーを必要としながら環境温度と無関係に実質的に再現可能の外観の画素２を確保することができる。照合表という手段で測定温度と継続時間との間の関係を駆動手段１００に組み込むことも可能である。また、図３は、遷移B-Wの継続時間が遷移DH-LGの継続時間と実質的に比例していることを示している。よって、第一実施例の変形例では、駆動手段１００は、各継続時間を制御するのに、同一期間の間隔をいくつか設けることが可能であって、その数は表示される画像と測定温度とによって決められ、その期間は一定とされる。第一実施例の他の変形例では、駆動手段１００は、各継続時間を制御するのに、同一期間の間隔をいくつか設けることが可能であって、その数は表示される画像と測定温度によって決められる期間とによって決められる。
【００１６】
図４は、第二実施例における測定温度と電位差のレベルとの間の関係を示している。電位差の継続時間は、２００  msである。電極３と電極４との間の距離は、約８０マイクロメートルである。起電媒体５の層の厚さは、約５０マイクロメートルである。更に、約３０マイクロメートルの厚さを有するポリマー結合材料の層は、電極３と電極４との間に介在している。この関係は、遷移B-Wの遷移に関するものである。測定温度の上昇に伴ってレベルが減少する。第二実施例では、駆動手段１００は、図４によるところ、測定温度に従って電位差のレベルを制御することができる。照合表という手段で測定温度とレベルとの間の関係を駆動手段１００に組み込むことも可能である。
【図面の簡単な説明】
【００１７】
【図１】図１は、第一実施例に係る表示パネルを線図式の正面図を示している。
【図２】図２は、図１の線II-IIに沿った線図式の断面図を示している。
【図３】図３は、第一実施例の測定温度と継続時間との間の関係をグラフ形式に示している。
【図４】図４は、第に実施例の測定温度とレベルとの間の関係をグラフ形式に示している。
【図１】
2005527001.tif 000003
【図２】
2005527001.tif 000004
【図３】
2005527001.tif 000005
【図４】
2005527001.tif 000006
【国際調査報告】
2005527001.tif 000007
2005527001.tif 000008
2005527001.tif 000009